(57)【要約】【課題】高速噴流での水分除去を実施すると、大きな水滴を除去することができるが、小さい水滴は除去しにくいため手に水分が残るという課題があり、小さい水滴を除去するため、パウダーを噴出して水分を吸収させるとともに高速風により吹き飛ばすことができることを目的としている。【解決手段】パウダーを噴出するのものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができるという作用を有する。【選択図】図１
2006087455.tif 000002
【特許請求の範囲】
【請求項１】
外部に向って開口した挿入口から手を抜き差しできる処理空間を有し、この処理空間の内部において上記処理空間に挿入される手に対して噴流発生部により生成される作動気流を吹き当てて、作動気流の運動エネルギ−により手に付着した水分を払拭するように構成した手乾燥装置であって、パウダーを噴出することを特徴とする手乾燥装置。
【請求項２】
外部に向って開口した挿入口から手を抜き差しできる処理空間を有し、この処理空間の内部において上記処理空間に挿入される手に対して噴流発生部により生成される作動気流を吹き当てて、作動気流の運動エネルギ−により手に付着した水分を払拭するように構成した手乾燥装置であって、パウダーを噴出するパウダー噴出手段を備えたことを特徴とする手乾燥装置。
【請求項３】
パウダーを噴出するパウダー噴出手段を噴流発生部の近傍に設けたことを特徴とする請求項１または請求項２記載の手乾燥装置。
【請求項４】
パウダーを噴出するパウダー噴出手段を噴流発生部の内部に設けたことを特徴とする請求項１または請求項２記載の手乾燥装置。
【請求項５】
パウダー噴出手段を２箇所に対向させて設置したことを特徴とする請求項１または請求項２または請求項４記載の手乾燥装置。
【請求項６】
パウダーの量を定量噴出できるパウダー定量手段を備えたことを特徴とする請求項１から請求項５記載の手乾燥装置。
【請求項７】
パウダーの量を調節することパウダー調節手段を備えたことを特徴とする請求項１から請求項５記載の手乾燥装置。
【請求項８】
噴流発生部から高速風を噴射した後に時間をずらしてパウダーを噴出することを特徴とする請求項１から請求項７記載の手乾燥装置。
【請求項９】
パウダー噴出手段を分解できるように構成としたことを特徴とする請求項１から請求項８記載の手乾燥装置。
【請求項１０】
パウダーによるノズル詰まりを防止するクリーニング機構を設けたことを特徴とする請求項１から請求項９記載の手乾燥装置。
【請求項１１】
パウダーを充填する充填部を設けたことを特徴とする請求項１から請求項１０記載の手乾燥装置。
【請求項１２】
手乾燥装置の外観にパウダーが付着しにくいように、静電防止樹脂で作成したことを特徴とする請求項１から請求項１１記載の手乾燥装置。
【請求項１３】
パウダーの素材をタルクとしたことを特徴とする請求項１から請求項１２記載の手乾燥装置。
【請求項１４】
パウダーの素材をアロウルートとしたことを特徴とする請求項１から請求項１２記載の手乾燥装置。
【請求項１５】
パウダーの素材をフッ素コーティングパウダーとしたことを特徴とする請求項１から請求項１２記載の手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１参照または特許文献２参照）。
【０００３】
以下、その手乾燥装置について図６を参照しながら説明する。
【０００４】
図に示すように、壁面に固定された本体１０１は、フロントケース１０２および下部に突設した水受け皿１０３で構成されており、フロントケース１０２と水受け皿１０３の間に乾燥空間１０２ａが形成される。フロントケース１０２内には送風装置１０４、発熱手段１０５および制御回路１０８が設けられており、フロントケース１０２の下端部には送風吹出ノズル１０６を乾燥空間１０２ａに向けて、水受け皿１０３に向けて送風するように設置されている。また送風吹出ノズル１０６の近傍には乾燥空間１０２ａ内に差し出した手を検知する赤外線センサ１１０が設けられ、前記制御回路１０８は赤外線センサ１１０の検知信号を受けて送風装置１０４および発熱手段１０５を駆動制御している。また、水受け皿１０３の前部および左右側部には突出壁１０７を形成している。
【０００５】
上記構成において濡れた手を乾燥空間１０２ａに挿入すると、赤外線センサ１１０により検知され、送風装置１０４および発熱手段１０５により温風が形成されて吹出ノズル１０６より送風される。このとき差し出した手に温風が当たり、手を乾燥させる。手を引っ込めると赤外線センサ１１０の検出がなくなるので、送風装置１０４および発熱手段１０５は停止する。
【０００６】
また、手から離れた水滴は水受け皿１０３に集められるが、送風吹出ノズル１０６の送風により飛散しやすくなるため、水受け皿１０３の前部および側部の突出壁１０７により周囲への飛散を防止するものであった。
【０００７】
また、送風装置１０４を固定する固定カバー１１１と、送風吹出ノズル１０６と、吸込空間１１２と送風装置１０４を分離する分離カバー１１３によって送風装置１０４を密閉し、全ての部品を接続する送風経路において大気圧よりも上昇させた高静圧状態を構成するものであった。
【０００８】
また、洗浄後の濡れた手を乾燥させる装置として、例えば高速空気流を手を出し入れできる処理空間に手のひらと甲側に噴出し、高速空気流の運動エネルギーによって手に付着した水分を処理空間内へ吹飛ばして手を乾燥させる構成となっているものがある。（特許文献３参照）
【特許文献１】特開平１０−７１１０１号公報（第３頁、第１図）
【特許文献２】特許第３４１５０１１号公報
【特許文献３】特開昭６３−１５４１３８号公報
【発明の開示】
【発明が解決しようとする課題】
【０００９】
このような従来の手乾燥装置では、高速噴流での水分除去を実施すると、大きな水滴を除去することができるが、小さい水滴は除去しにくいため手に水分が残るという課題がある。本発明は、このような従来の課題を解決するものであり、小さい水滴を除去するため、パウダーを噴出して水分を吸収させるとともに高速風により吹き飛ばすことができる手乾燥装置を提供することを目的としている。
【課題を解決するための手段】
【００１０】
本発明の手乾燥装置は、上記目標を達成するためパウダーを噴出することを特徴とする。そして、本発明によれば小さい水滴を除去するため、パウダーを噴出して水分を吸収させるとともに高速風により吹き飛ばすことができる手乾燥装置が得られる。
【００１１】
また、パウダーを噴出するパウダー噴出手段を備えたことを特徴とする。そして、本発明によれば小さい水滴を除去するため、パウダーを噴出して水分を吸収させるとともに高速風により吹き飛ばすことができる手乾燥装置が得られる。
【００１２】
また、パウダーを噴出するパウダー噴出手段を噴流発生部の近傍に設けたことを特徴とする。そして、本発明によれば小さい水滴を除去するため、パウダーを噴出して水分を吸収させるとともに高速風により吹き飛ばすことができる手乾燥装置が得られる。
【００１３】
また、パウダーを噴出するパウダー噴出手段を噴流発生部の内部に設けたことを特徴とする。そして、本発明によれば小さい水滴を除去するため、パウダーを噴出して水分を吸収させるとともに高速風により吹き飛ばすことができる手乾燥装置が得られる。
【００１４】
また、パウダー噴出手段を２箇所に対向させて設置したことを特徴とする。そして、本発明によれば小さい水滴を除去するため、パウダーを噴出して水分を吸収させるとともに高速風により吹き飛ばすことができる手乾燥装置が得られる。
【００１５】
また、パウダーの量を定量噴出できるパウダー定量手段を備えたことを特徴とする。そして、本発明によれば小さい水滴を除去するため、パウダーを噴出して水分を吸収させるとともに高速風により吹き飛ばすことができる手乾燥装置が得られる。
【００１６】
また、パウダーの量を調節することパウダー調節手段を備えたことを特徴とする。そして、本発明によれば小さい水滴を除去するため、パウダーを噴出して水分を吸収させるとともに高速風により吹き飛ばすことができる手乾燥装置が得られる。
【００１７】
また、噴流発生部から高速風を噴射した後に時間をずらしてパウダーを噴出する構成としたことを特徴とする。そして、本発明によれば小さい水滴を除去するため、パウダーを噴出して水分を吸収させるとともに高速風により吹き飛ばすことができる手乾燥装置が得られる。
【００１８】
また、パウダー噴出手段を分解できるように構成としたことを特徴とする。そして、本発明によれば小さい水滴を除去するため、パウダーを噴出して水分を吸収させるとともに高速風により吹き飛ばすことができる手乾燥装置が得られる。
【００１９】
また、パウダーによるノズル詰まりを防止するクリーニング機構を設けたことを特徴とする。そして、本発明によれば小さい水滴を除去するため、パウダーを噴出して水分を吸収させるとともに高速風により吹き飛ばすことができる手乾燥装置が得られる。
【００２０】
また、パウダーを充填する充填部を設けたことを特徴とする。そして、本発明によれば小さい水滴を除去するため、パウダーを噴出して水分を吸収させるとともに高速風により吹き飛ばすことができる手乾燥装置が得られる。
【００２１】
また、手乾燥装置の外観にパウダーが付着しにくいように、静電防止樹脂で作成したことを特徴とする。そして、本発明によれば小さい水滴を除去するため、パウダーを噴出して水分を吸収させるとともに高速風により吹き飛ばすことができる手乾燥装置が得られる。
【００２２】
また、パウダーの素材をタルクとしたことを特徴とする。そして、本発明によれば小さい水滴を除去するため、パウダーを噴出して水分を吸収させるとともに高速風により吹き飛ばすことができる手乾燥装置が得られる。
【００２３】
また、パウダーの素材をアロウルートとしたことを特徴とする。そして、本発明によれば小さい水滴を除去するため、パウダーを噴出して水分を吸収させるとともに高速風により吹き飛ばすことができる手乾燥装置が得られる。
【００２４】
また、パウダーの素材をフッ素コーティングパウダーとしたことを特徴とする。そして、本発明によれば小さい水滴を除去するため、パウダーを噴出して水分を吸収させるとともに高速風により吹き飛ばすことができる手乾燥装置が得られる。
【発明の効果】
【００２５】
本発明によればパウダーを噴出することにより手に付着した水分除去をすばやく行えるため、使用時間が短時間に行える。そのため使用時間全体での消費電力を換算すると大幅に削減できるため効率が良いという効果のある手乾燥装置を提供できる。
【００２６】
また、パウダーを噴出するパウダー噴出手段を備えたことにより手に付着した水分除去をすばやく行えるため、使用時間が短時間に行える。そのため使用時間全体での消費電力を換算すると大幅に削減できるため効率が良いという効果のある手乾燥装置を提供できる。
【００２７】
また、パウダーを噴出するパウダー噴出手段を噴流発生部の近傍に設けたことにより手に付着した水分除去をすばやく行えるため、使用時間が短時間に行える。そのため使用時間全体での消費電力を換算すると大幅に削減できるため効率が良いという効果のある手乾燥装置を提供できる。
【００２８】
また、パウダーを噴出するパウダー噴出手段を噴流発生部の内部に設けたことにより手に付着した水分除去をすばやく行えるため、使用時間が短時間に行える。そのため使用時間全体での消費電力を換算すると大幅に削減できるため効率が良いという効果のある手乾燥装置を提供できる。
【００２９】
また、パウダー噴出手段を２箇所に対向させて設置したことにより手に付着した水分除去をすばやく行えるため、使用時間が短時間に行える。そのため使用時間全体での消費電力を換算すると大幅に削減できるため効率が良いという効果のある手乾燥装置を提供できる。
【００３０】
また、パウダーの量を定量噴出できるパウダー定量手段を備えたことにより手に付着した水分除去をすばやく行えるため、使用時間が短時間に行える。そのため使用時間全体での消費電力を換算すると大幅に削減できるため効率が良いという効果のある手乾燥装置を提供できる。
【００３１】
また、パウダーの量を調節することパウダー調節手段を備えたことにより手に付着した水分除去をすばやく行えるため、使用時間が短時間に行える。そのため使用時間全体での消費電力を換算すると大幅に削減できるため効率が良いという効果のある手乾燥装置を提供できる。
【００３２】
また、噴流発生部から高速風を噴射した後に時間をずらしてパウダーを噴出する構成としたことにより手に付着した水分除去をすばやく行えるため、使用時間が短時間に行える。そのため使用時間全体での消費電力を換算すると大幅に削減できるため効率が良いという効果のある手乾燥装置を提供できる。
【００３３】
また、パウダー噴出手段を分解できるように構成としたことにより手に付着した水分除去をすばやく行えるため、使用時間が短時間に行える。そのため使用時間全体での消費電力を換算すると大幅に削減できるため効率が良いという効果のある手乾燥装置を提供できる。
【００３４】
また、パウダーによるノズル詰まりを防止するクリーニング機構を設けたことにより手に付着した水分除去をすばやく行えるため、使用時間が短時間に行える。そのため使用時間全体での消費電力を換算すると大幅に削減できるため効率が良いという効果のある手乾燥装置を提供できる。
【００３５】
また、パウダーを充填する充填部を設けたことにより手に付着した水分除去をすばやく行えるため、使用時間が短時間に行える。そのため使用時間全体での消費電力を換算すると大幅に削減できるため効率が良いという効果のある手乾燥装置を提供できる。
【００３６】
また、手乾燥装置の外観にパウダーが付着しにくいように、静電防止樹脂で作成したことにより手に付着した水分除去をすばやく行えるため、使用時間が短時間に行える。そのため使用時間全体での消費電力を換算すると大幅に削減できるため効率が良いという効果のある手乾燥装置を提供できる。
【００３７】
また、パウダーの素材をタルクとしたことにより手に付着した水分除去をすばやく行えるため、使用時間が短時間に行える。そのため使用時間全体での消費電力を換算すると大幅に削減できるため効率が良いという効果のある手乾燥装置を提供できる。
【００３８】
また、パウダーの素材をアロウルートとしたことにより手に付着した水分除去をすばやく行えるため、使用時間が短時間に行える。そのため使用時間全体での消費電力を換算すると大幅に削減できるため効率が良いという効果のある手乾燥装置を提供できる。
【００３９】
また、パウダーの素材をフッ素コーティングパウダーとしたことにより手に付着した水分除去をすばやく行えるため、使用時間が短時間に行える。そのため使用時間全体での消費電力を換算すると大幅に削減できるため効率が良いという効果のある手乾燥装置を提供できる。
【発明を実施するための最良の形態】
【００４０】
本発明の請求項１記載の発明は、パウダーを噴出するものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができるという作用を有する。
【００４１】
またパウダーを噴出するパウダー噴出手段を備えたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができるという作用を有する。
【００４２】
またパウダーを噴出するパウダー噴出手段を噴流発生部の近傍に設けたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができる。また噴流発生部の近傍にあることで手にすばやく付着させることができ、効果向上することができるという作用を有する。
【００４３】
またパウダーを噴出するパウダー噴出手段を噴流発生部の内部に設けたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができる。また噴流発生部の内部に設けることで噴出機構を簡易に作成することができるという作用を有する。
【００４４】
またパウダー噴出手段を２箇所に対向させて設置したものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができる。また手のひらと手の甲の両面にすばやく付着させることで乾燥むらをなくすことができるという作用を有する。
【００４５】
またパウダーの量を定量噴出できるパウダー定量手段を備えたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができる。またパウダーを定量噴出することで、手に無駄な量を噴出することがないという作用を有する。
【００４６】
またパウダーの量を調節することパウダー調節手段を備えたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができる。またパウダーの量を調節して噴出することで、手に無駄な量を噴出することがないという作用を有する。
【００４７】
また噴流発生部から高速風を噴射した後に時間をずらしてパウダーを噴出する構成としたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができる。またパウダーを時間差をもって噴出することで、手に付着した水分が少なくなっているため、パウダー量が少量でよいという作用を有する。
【００４８】
また、パウダー噴出手段を分解できるように構成としたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができる。またパウダーがパウダー噴出口にて目詰まりを起こした場合にすぐに掃除できるという作用を有する。
【００４９】
またパウダーによるノズル詰まりを防止するクリーニング機構を設けたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができ、またパウダーがパウダー噴出口にて目詰まりを起こす前から定期的に自動で掃除できるという作用を有する。
【００５０】
またパウダーを充填する充填部を設けたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができ、またパウダーを充填できるという作用を有する。
【００５１】
また手乾燥装置の外観にパウダーが付着しにくいように、静電防止樹脂で作成したものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができる。またパウダーが手乾燥室に付着して汚れることを防止するという作用を有する。
【００５２】
またパウダーの素材をタルクとしたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができるという作用を有する。
【００５３】
またパウダーの素材をアロウルートとしたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができるという作用を有する。
【００５４】
またパウダーの素材をフッ素コーティングパウダーとしたものであり、高速風により水分の大半を除去するとともに、手に付着したわずかな残水分を吸水性のあるパウダーにより水分を吸着させ、これを高速風にて手から分離させることで、手に付着した不要な水分を除去して、手を乾燥した状態にさせることができるという作用を有する。
以下、本発明の実施の形態について図面を参照しながら説明する。
【００５５】
（実施の形態１）
図１から図３に示すように、壁面に固定された本体１は高圧空気を発生するメインユニット２と、その上部に手を乾燥させる処理空間としての乾燥室３を有する。前記乾燥室３は手を挿入させるのに十分な広さももち、手が前記乾燥室に接触することがないものが望まれており、横幅が約３００ｍｍ、奥行き約２００ｍｍ、高さ約１００ｍｍである。前記メインユニット２内には、高圧シールユニット４と、この高圧シールユニット４内部には送風装置５を内装し、前記高圧シールユニット４と連通し、前記乾燥室３の中央部分に配設された噴流発生部としての吹出ノズル６により作動気流としての高速風へと変換される。
【００５６】
また、前記メインユニット２内には制御回路７を設けて、乾燥室３内に差し出された手を検知する赤外線センサ８を前記吹出ノズル６近傍に設け、前記制御回路７は前記赤外線センサ８の検知信号を受けて前記送風装置５を駆動制御している。
【００５７】
上記構成において、前記乾燥室３に手を挿入すると前記赤外線センサ８が手を検知して、その検知出力がオンとなり、前記制御回路７を介して前記送風装置５を動作させ、前記吹出ノズル６より送出された高速風とパウダー噴出部９から噴出されるパウダーが手の表面に当たり、付着した水滴を手と分離しつつ蒸発およびパウダーによる吸湿をしながら乾燥し、分離された水滴および水滴を含んだパウダーは前記乾燥室３内の側壁面に付着し、前記乾燥室３下部まで自然に流すことができる。
【００５８】
前記パウダー噴出部９は、前記吹出ノズル６の近傍に設置されていると手に効果的に噴霧できる。さらに前記パウダー噴出部９を、前記吹出ノズル６の内部に設置すれば、パウダーの噴出を別の機構手段を設置することなくできるため効率が良い。
【００５９】
前記パウダー噴出部９は、前記吹出ノズル６の通風経路の一部内壁１０に凹部１１を開けており、パウダー定量手段１２にて前記凹部１１にパウダーを定量入れる。高速風が吹出されることで、誘引効果により前記凹部１１に入っているパウダーが噴霧される。
【００６０】
前記パウダー定量手段１２は、一定の量を前記凹部１１に入れることができるように前記凹部１１の上部に連通するように穴１３が開いており、前記穴１３からピストン１４にて押し出すように一定量を入れる。ピストン１４のストロークを可変させるとパウダーの量を調節することもできる。
【００６１】
前記凹部１１にパウダーを入れるタイミングを、高速風が噴射されてから１秒から２秒ほど後にすることで、高速風により手についた大きな水滴をまず除去してから、パウダーを噴霧して、高速風では除去しにくい小さな水滴を吸湿して、手から分離させると効率が良い。
【００６２】
前記パウダー噴出部９は、使用することでパウダーが詰まることもあるため、前記吹出ノズル６を取り外して、前記パウダー噴出部９を分割できるように構成されているため、容易に掃除ができる。
【００６３】
なお、商品構成上、前記パウダー噴出部９を取り外すことができない場合は、高速風を利用して自動で掃除するようにすることもできる。
【００６４】
なお、前記送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００６５】
（実施の形態２）
図４および図５に示すように、壁面に固定された本体１は高圧空気を発生するメインユニット２と、その上部に手を乾燥させる処理空間としての乾燥室３を有する。前記乾燥室３は手を挿入させるのに十分な広さももち、手が前記乾燥室に接触することがないものが望まれており、横幅が約３００ｍｍ、奥行き約２００ｍｍ、高さ約１００ｍｍである。前記メインユニット２内には、高圧シールユニット４と、この高圧シールユニット４内部には送風装置５を内装し、前記高圧シールユニット４と連通し、前記乾燥室３に配設された噴流発生部としての吹出ノズル６により作動気流としての高速風へと変換される。
【００６６】
また、前記メインユニット２内には制御回路７を設けて、乾燥室３内に差し出された手を検知する赤外線センサ８を前記吹出ノズル６近傍に設け、前記制御回路７は前記赤外線センサ８の検知信号を受けて前記送風装置５を駆動制御している。
【００６７】
上記構成において、前記乾燥室３に手を挿入すると前記赤外線センサ８が手を検知して、その検知出力がオンとなり、前記制御回路７を介して前記送風装置５を動作させ、前記吹出ノズル６より送出された高速風と手のひらと甲側に配置された掌側パウダー噴出部１５および甲側パウダー噴出部１６から噴出されるパウダーが手の表面に当たり、付着した水滴を手と分離しつつ蒸発およびパウダーによる吸湿をしながら乾燥し、分離された水滴および水滴を含んだパウダーは前記乾燥室３内の側壁面に付着し、前記乾燥室３下部まで自然に流すことができる。
【００６８】
なお、前記吹出ノズル６は、手のひらおよび甲側の両面にあるものもある。
【００６９】
なお、前記送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【産業上の利用可能性】
【００７０】
本発明にかかる手乾燥装置は、噴流発生部の風量、風速を同等にした状態でも初期の水分除去性能を向上でき、かつ乾燥装置使用後の手に水分が残った感覚を無くすことができるという効果を有し、洗面所やトイレ等で手を洗い、濡れた手を乾燥させる装置等として有効である。
【図面の簡単な説明】
【００７１】
【図１】本発明の実施の形態１の手乾燥装置を示す斜視図
【図２】同側断面図
【図３】同パウダー噴出部の詳細図
【図４】本発明の実施の形態２の手乾燥装置を示す斜視図
【図５】同側断面図
【図６】従来の手乾燥装置を示す側断面図
【符号の説明】
【００７２】
１  本体
２  メインユニット
３  乾燥室
４  高圧シールユニット
５  送風装置
６  吹出ノズル
７  制御回路
８  赤外線センサ
９  パウダー噴出部
１０  内壁
１１  凹部
１２  パウダー定量手段
１３  穴
１４  ピストン
１５  掌側パウダー噴出部
１６  甲側パウダー噴出部
【図１】
2006087455.tif 000003
【図２】
2006087455.tif 000004
【図３】
2006087455.tif 000005
【図４】
2006087455.tif 000006
【図５】
2006087455.tif 000007
【図６】
2006087455.tif 000008